(57)【要約】      （修正有）【課題】構造がシンプルであり、耐久性、信頼性ある磁力回転発電装置を提供する。【解決手段】主、副各円盤回転車１、２の円盤部部の区分円周を、２等区分し、各区分点に、各々、主傾斜台４と副傾斜台５を固定し、その台面上に突出形磁石６を固定する。主、副各円盤部下部に付けた笠歯車３を噛み合わせ軸受で支持し、磁極面を対向させ、吸引力と反発力の効率良い回転力で、発電する。装置容器１１外上部に、出力用笠歯車取付け枠台１６を設け、出力用笠歯車１７を取り付ける。又、主円盤回転車１の主軸７端に、出力用笠歯車１７を付け、２個の出力用笠歯車１７がかみあう。又、装置容器１１外上部に、発電機取付け枠台１９を設け、台上に発電機２０とクラッチ１８を固定する。発電機２０軸はクラッチ１８に接続し、クラッチ１８軸は、継手１５により出力用笠歯車１７軸と連結し、主円盤回転車１の回転を発電機２０に伝え電力にかえる。【選択図】図２
2016019460.tif 000002
【特許請求の範囲】
【請求項１】
主円盤回転車と副円盤回転車の構成は、同一直径の主、副各円盤部と、その円盤面中心部の下部をボス部とする。各円盤面中心の軸穴に主軸を通し、ボルト、キー等により主軸に固定する。又、主、副各円盤部外周部下部に、円盤部直径より、直径が大きく同一直径、同一歯数とする笠歯車を各々固定する。又、大型の場合、各笠歯車は、リング状としても良く、、笠歯車の取付けは、主、副各円盤部外周下部面の凸形フランジ部にリング状笠歯車の内周面を嵌合わせ、主、副各円盤部下部面にボルト等で各々、固定する。主、副各円盤部面外周より少し内側に、同一直径の区分円周ｇを描き、主に、２区分〜４区分より選択して、区分円周ｇを等区分し各区分点とする。主円盤部における区分円周ｇの各区分点より、回転方向に、接線ｆを引き、接線ｆを基準として傾斜角αの傾斜線ｊを区分点より引く。次に、この傾斜線ｊに対する直角線ｋを区分点より引く。又、副円盤部における区分円周ｇの各区分点より、逆回転方向に、接線ｆを引き、接線ｆを基準として傾斜角βの傾斜線ｊを区分点より引く。又、この傾斜線ｊに対する直角線ｋを区分点より引く。
主傾斜台と副傾斜台は、主円盤部面と副円盤部面の各区分点に描いた傾斜線ｊ上と直角線ｋ上に、底面２辺位置として、各々、主、副各円盤部面に固定される。主、副各円盤部の各傾斜台の台面上に、突出形磁石を固定する。又、各突出形磁石の上部に、連結部の枠部、を嵌、接着剤等で固定する。天盤ボス部の軸穴に主、副各円盤部の各主軸を通し、天盤ボス部のボルトで天盤を主軸に固定する。又、連結部上面に接着剤を付け、天盤下面に固定する連結部上部１部周囲にフランジを付けタッピングネジと接着剤等により固定する。これが、主円盤回転車と副円盤回転車の主な構成とする。次に、主、副円盤回転車の各部を詳細に述べる。笠歯車のピッチ円錐角ｘは、３０度から２度程度まで選択する事ができる。但し、笠歯車直径を限りなく小さくする時、ピッチ円錐角ｘはより０に近くする事ができる。各円盤部面外周より少し内側に、同一直径の区分円周ｇを描き、主に、２区分、３区分、４区分、より選択して、区分円周ｇを等区分し各区分点とする。又、任意の整数の区分数でも可能である。主円盤部における区分円周ｇの各区分点より、引く傾斜角αは、笠歯車のピッチ円錐角ｘにより変化する。笠歯車の最大ピッチ円錐角ｘは３０度であり、この時、傾斜角αは、９０度とする。ピッチ円錐角ｘを３０度を基準とし、これよりθ度減じたｘとする時、傾斜角αは、９０度よりθ度減じた値の角度とする。ピッチ円錐角ｘを１５度とした時、数式で説明すると、θとｘの関係式はθ＝３０−ｘであり、θ＝３０−１５＝１５で、θは１５度となる。次に、傾斜角αは、９０度よりθ度減じた角度とするので、その時の関係式はα＝９０−θ度となる。従って、α＝９０−θ＝９０−１５＝７５でαは７５度となる。又、副円盤部における区分円周ｇの各区分点より、逆回転方向に、接線ｆを引き、接線ｆを基準として傾斜角βの傾斜線ｊを区分点より引く。又、この傾斜線ｊに対する直角線ｋを区分点より引く。傾斜角βは、ピッチ円錐角ｘが如何なる角度でも一定の４５度とする。主傾斜台と副傾斜台は、主円盤部面と副円盤部面の各区分点に描いた傾斜線ｊ上と直角線ｋ上に、底面２辺位置として、各々、主、副各円盤部面に固定される。主傾斜台と副傾斜台の形状は、一体成形であり、分解できないが、分解できるとして説明する。まず、主、副各傾斜台は、各々、高さ部分を構成する、平面台ブロックの上に、各々、２個の傾斜ブロックが重なった形状である。こうした形状を一体成形した構造である。平面台ブロックは、平面形が正方形であり１辺の長さは、磁極面巾にｃｏｓｘ（ｘは選択したピッチ円錐角）を乗じた値とする。平面台ブロックの高さは、約、突出形磁石の磁極面巾にｓｉｎｘ（ｘは選択したピッチ円錐角）を乗じた値を１．３倍した程度の高さとする。主円盤部面区分点の傾斜線ｊ、ｋに主傾斜台を固定した時、各ブロックが、どの様な位置、順序、方向で積み上げられているかを説明すると、まず平面台ブロックＡの２辺を主円盤部面区分点の傾斜線ｊ、ｋに合わせる。次に、傾斜ブロックＢは、傾斜下端線を傾斜線ｊ位置とし、又、傾斜側辺下端を直角線ｋ位置として上昇傾斜して、平面台ブロックＡ上に重なる。次に、傾斜ブロックＣは、傾斜下端線を直角線ｋ位置とし、又、傾斜側辺下端を傾斜線ｊ位置として上昇傾斜して、傾斜ブロックＢ上に重なる。尚、傾斜ブロックＢと傾斜ブロックＣの傾斜面の長さは磁極面巾と同じとする。傾斜ブロックＢと傾斜ブロックＣの傾斜角度は、選択したピッチ円錐角ｘと同角度とする。又、副円盤部面区分点の傾斜線ｊ、ｋに副傾斜台を固定した時、各ブロックが、どの様な位置、順序、方向で積み上げられているかを説明すると、まず、平面台ブロックＤの２辺を副円盤部面区分点の傾斜線ｊ、ｋに合わせる。次に、傾斜ブロックＥは、傾斜下端線を傾斜線ｊ位置とし、又、傾斜側辺下端を直角線ｋ位置として上昇傾斜して、平面台ブロックＤ上に重なる。次に、傾斜ブロックＦは、傾斜上端線を直角線ｋ位置とし、又、傾斜側辺下端を傾斜線ｊ位置として下降傾斜して、傾斜ブロックＥ上に重なる。尚、この傾斜ブロックＥと傾斜ブロックＦの傾斜面の長さは磁極面巾と同じとする。傾斜ブロックＥの傾斜角度は、選択したピッチ円錐角ｘの２分の１の角度とし、傾斜ブロックＦの傾斜角度は、選択したピッチ円錐角ｘと同角度とする。主、副各円盤部の各傾斜台の台面上に、突出形磁石を固定する。突出形磁石本体の平面図に於ける磁極面巾と磁極面間方向の長さ寸法は、同一寸法で正方形となる。突出形磁石は、Ｎ極、Ｓ極各磁極面の互いの逆位置端に突出部が付く。突出部の巾は、磁極面巾の３分の１とし、突出長さは、突出形磁石の磁極面巾の２分の１とする。本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端を傾斜線ｊ位置とし、又、磁極面間方向側面下端を直角線ｋ位置として、各々、傾斜台面上に固定する。又、主円盤部と副円盤部における突出形磁石の前磁極面の前突出部は、共に、区分点の反対側端に突きでる。従って、後磁極面の後突出部は、区分点側端に付く。区分数が２区分の時、立面図における突出部を含む磁極面巾は、区分円周ｇ半径の約２分の１弱から３分の１程度までが適当とする。突出形磁石の最大高さは、２区分の時、区分円周ｇにおける、半径程度とし、２区分以上の整数における任意区分数の最大高さは、選択した各区分数に於ける２区分間弦巾の２分の１程度とする。区分数を２区分以上で選択した時、立面図における突出部を含む磁極面巾は、各区分円周ｇにおける各２区分間弦巾の５分の１程度である。又、突出形磁石の最大高さは、選択した各２区分間弦巾の２分の１程度とする。主円盤部の各区分点の前磁極面の磁極は、各区分点共に、Ｎ、Ｓ磁極より同一磁極を配置しなければならない。又、副円盤部の前磁極面の磁極は、主円盤部の前磁極面の反対磁極とする。主円盤部面と副円盤部面に、各々主傾斜台と副傾斜台を配置固定し、それ等の枠部、傾斜ブロックＣと傾斜ブロックＦの各々、上端に設ける。（但し図では省略している）そこに突出形磁石下部が枠部に入り接着剤で固定される。しかし、主傾斜台と副傾斜台の下部１部周囲にフランジ部を付け、タッピングネジと接着剤で固定する事ができる。又、各突出形磁石の上部に、連結部の枠部を嵌接着剤で固定する。尚、フランジ部は、突出形磁石を超電導電磁石で構成した時に、付けられる。主、副各円盤部の各主軸に、天盤ボス部の軸穴を通し、天盤を主軸にボス部のボルトで固定する。連結部上面は接着剤等で固定する。連結部上面周囲１部にフランジを付け、タッピングネジと接着剤で、各天盤の下部面に固定しても良い。連結部の形状は、主、副傾斜台と同じ順序で平面台ブロックと２つの傾斜ブロックが積み上がっているが、方向は各々真逆方向とした形状の一体成形構造である。連結部の枠部やフランジ部は、各平面台ブロックＡ、平面台ブロックＤにあたる下部周囲に設けている。以上が、主円盤回転車と副円盤回転車の構成とする。各主、副円盤回転車は、装置容器のラジアル、スラスト各軸受により、各主軸を支持し、笠歯車を噛み合わせる。噛み合わせ位置は、笠歯車の取付け時に決める。これは、主円盤部区分円周ｇの一つの区分点を通る中心線ｅを噛み合わせ位置とし刻印を付け、この位置に、笠歯車の谷溝中心を合わせ、主円盤部に笠歯車をボルト等により固定する。又、副円盤部は、磁極面巾ｔにｃｏｓｘを乗じた値に１．５倍した値の巾ｚをコンパスに取り、副円盤部における区分円周ｇの一つの区分点より、回転方向にコンパスで区分し、この区分点ｕを通る中心線ｅを噛み合わせ位置とし刻印を付け、この位置に、笠歯車の取付け時、笠歯車の歯山頂部中心を合わせ、副円盤部に笠歯車をボルト等により固定する。主、副円盤回転車を、装置容器の各軸受により、各主軸を支持する時、各笠歯車の印ある位置の歯谷と歯山を噛み合わせ、各主、副円盤回転車軸を、装置容器の各軸受に支持する。装置容器外上部に、出力用笠歯車取付け枠台を設け出力用笠歯車を固定し、又、装置容器外上部にでた主円盤回転車の主軸端にピッチ円錐角４５度の出力用笠歯車固定し、出力用２つの出力用笠歯車をかみあわせる。又、車装置容器外上部に、発電機取付け台を設け、台上に発電機とクラッチを固定する。発電機軸はクラッチに接続し、出力用笠歯車軸とクラッチ軸は、軸継手により連結される。主円盤回転車の天盤上部にフライホイールを設ける。又、副円盤回転の装置容器外上部に、ディスクブレーキ装置取り付け枠台を設け、副円盤回転車の主軸にディスクを固定し、ディスクブレーキ装置を枠内に固定する。こうした構造を特徴とする請求項１の磁力回転発電装置。
【請求項２】
主円盤部面と副円盤部面の、主傾斜台と副傾斜台に配置固定される永久磁石での突出形磁石構成でなく、超電導電磁石の構成とした主円盤回転車と副円盤回転車とし、各天盤上に超電導電磁石のヘリウムガスの再液化用の冷凍機を設ける。冷凍機の電力は、装置容器外から供給するために、各天盤の上部面より出た各主軸に円筒形電通接触面を通し軸に固定し、プラス及びマイナス用ブラシ保持器を装置容器側の軸受保持部分外に取り付けた構成とする。又、主円盤部面の主傾斜台には、超電導電磁石を配置した主円盤回転車とし、副円盤部面の副傾斜台に配置される突出形磁石はフェライト磁石等の永久磁石を配置した副円盤回転車構成とする。この場合、主円盤回転車軸は、垂直とした装置容器構成とすため、発電機は水平に設ける事ができる。但し、超電導電磁石の磁力は２テスラ程度とするが、フェライト磁石に悪い影響がなく、回転可能であれば、２テスラ以上としてかまわない。こうした構造を特徴とする請求項１記載の磁力回転発電装置。
【発明の詳細な説明】
【技術分野】
【０００１】この発明は、一対の噛み合う笠歯車上の円盤面周囲区分点に、磁石を固定し、磁石相互間に、作用する吸引力と、反発力とによって回転力とし、発電機を回転させ電力を得る装置であり、電気自動車、船舶、鉄道、ロボット、宇宙航空、農業用、等の電源として用いる。
【背景技術】
【０００２】従来、我国の発明家湊弘平氏により、一対の平歯車を噛み合わせ、上に、円盤を付け、円盤面周囲に磁石を固定し、磁石の反発力によって回転力とし、発電機を回転し、電力を得る磁力発電装置が、１９８７年頃にテレビ等で発表され、永久機関の可能性を示した。その後、雑誌に、実用化間近で、回転する装置の写真付きの記事が載っていた。又、特許は、審判で回転する装置を見せて辛うじて取得している。しかし、耐久性に問題があったせいか、本格的な実用化はされなかった。その後、回転円盤面に配置した磁石と、固定した電磁石による磁力発電装置を発明し、４０か国以上の国際特許を得ている。他に、米国の発明家トロイ・リード氏の磁力発電装置がある。これは、特許権も取れているようであり、かなりの発電量がある。しかし、装置が大型で複雑であり、耐久性も未知数である。
【発明の開示】
【発明が解決しようとする課題】
【０００３】主円盤回転車と副円盤回転車は、各円盤面の区分円周を２区分、又は、３区分、程度の区分数とし、その各位置に磁石を配置固定し、各円盤面下部に固定した笠歯車の歯間ピッチを大きくして、歯数を少なくする。構造がシンプルであり、耐久性、信頼性ある構造とする。又、超小型装置や、逆に、超大型装置とする事を可能とする。永久磁石のみだけではなく、超電導電磁石を用いて、大電力を得る事ができる構造とする。回転原理に無理がなく、又、対向する磁石の吸引力と、反発力の全てを回転力に転換する回転原理として、強力回転力とし、多少の負荷であれば、停止位置より自力回転を可能とする。
【課題を解決するための手段】
【０００４】主円盤回転車と副円盤回転車の構成は、同一直径の主、副各円盤部と、その円盤面中心部の下部をボス部とする。各円盤面中心の軸穴に主軸を通し、ボルト、キー等により主軸に固定する。又、主、副各円盤部外周部下部に、円盤部直径より、直径が大きく同一直径、同一歯数とする笠歯車を各々固定する。又、大型の場合、各笠歯車は、リング状としても良く、、笠歯車の取付けは、主、副各円盤部外周下部面の凸形フランジ部にリング状笠歯車の内周面を嵌合わせ、主、副各円盤部下部面にボルト等で各々、固定する。【０００５】主、副各円盤部面外周より少し内側に、同一直径の区分円周ｇを描き、主に、２区分〜４区分より選択して、区分円周ｇを等区分し各区分点とする。主円盤部における区分円周ｇの各区分点より、回転方向に、接線ｆを引き、接線ｆを基準として傾斜角αの傾斜線ｊを区分点より引く。次に、この傾斜線ｊに対する直角線ｋを区分点より引く。【０００６】又、副円盤部における区分円周ｇの各区分点より、逆回転方向に、接線ｆを引き、接線ｆを基準として傾斜角βの傾斜線ｊを区分点より引く。又、この傾斜線ｊに対する直角線ｋを区分点より引く。【０００７】主傾斜台と副傾斜台は、主円盤部面と副円盤部面の各区分点に描いた傾斜線ｊ上と直角線ｋ上に、底面２辺位置として、各々、主、副各円盤部面に固定される。主、副各円盤部の各傾斜台の台面上に、突出形磁石を固定する。又、各突出形磁石の上部に、連結部の枠部、を嵌、接着剤等で固定する。天盤ボス部の軸穴に主、副各円盤部の各主軸を通し、天盤ボス部のボルトで天盤を主軸に固定する。又、連結部上面に接着剤を付け、天盤下面に固定する連結部上部１部周囲にフランジを付けタッピングネジと接着剤等により固定する。これが、主円盤回転車と副円盤回転車の主な構成とする。【０００８】次に、主、副円盤回転車の各部を詳細に述べる。笠歯車のピッチ円錐角ｘは、３０度から２度程度まで選択する事ができる。但し、笠歯車直径を限りなく小さくする時、ピッチ円錐角ｘはより０に近くする事ができる。各円盤部面外周より少し内側に、同一直径の区分円周ｇを描き、主に、２区分、３区分、４区分、より選択して、区分円周ｇを等区分し各区分点とする。又、任意の整数の区分数でも可能である。【０００９】主円盤部における区分円周ｇの各区分点より、引く傾斜角αは、笠歯車のピッチ円錐角ｘにより変化する。笠歯車の最大ピッチ円錐角ｘは３０度であり、この時、傾斜角αは、９０度とする。ピッチ円錐角ｘを３０度を基準とし、これよりθ度減じたｘとする時、傾斜角αは、９０度よりθ度減じた値の角度とする。ピッチ円錐角ｘを１５度とした時、数式で説明すると、θとｘの関係式はθ＝３０−ｘであり、θ＝３０−１５＝１５で、θは１５度となる。次に、傾斜角αは、９０度よりθ度減じた角度とするので、その時の関係式はα＝９０−θ度となる。従つて、α＝９０−θ＝９０−１５＝７５でαは７５度となる。【００１０】又、副円盤部における区分円周ｇの各区分点より、逆回転方向に、接線ｆを引き、接線ｆを基準として傾斜角βの傾斜線ｊを区分点より引く。又、この傾斜線ｊに対する直角線ｋを区分点より引く。傾斜角βは、ピッチ円錐角ｘが如何なる角度でも一定の４５度と��る。【００１１】主傾斜台と副傾斜台は、主円盤部面と副円盤部面の各区分点に描いた傾斜線ｊ上と直角線ｋ上に、底面２辺位置として、各々、主、副各円盤部面に固定される。主傾斜台と副傾斜台の形状は、一体成形であり、分解できないが、分解できるとして説明する。まず、主、副各傾斜台は、各々、高さ部分を構成する、平面台ブロックの上に、各々、２個の傾斜ブロックが重なった形状である。こうした形状を一体成形した構造である。平面台ブロックは、平面形が正方形であり１辺の長さは、磁極面巾にｃｏｓｘ（ｘは選択したピッチ円錐角）を乗じた値とする。平面台ブロックの高さは、約、突出形磁石の磁極面巾にｓｉｎｘ（ｘは選択したピッチ円錐角）を乗じた値を１．３倍した程度の高さとする。【００１２】主円盤部面区分点の傾斜線ｊ、ｋに主傾斜台を固定した時、各ブロックが、どの様な位置、、順序、方向で積み上げられているかを説明すると、まず平面台ブロックＡの２辺を主円盤部面区分点の傾斜線ｊ、ｋに合わせる。次に、傾斜ブロックＢは、傾斜下端線を傾斜線ｊ位置とし、又、傾斜側辺下端を直角線ｋ位置として上昇傾斜して、平面台ブロックＡ上に重なる。次に、傾斜ブロックＣは、傾斜下端線を直角線ｋ位置とし、又、傾斜側辺下端を傾斜線ｊ位置として上昇傾斜して、傾斜ブロックＢ上に重なる。尚、傾斜ブロックＢと傾斜ブロックＣの傾斜面の長さは磁極面巾と同じとする。傾斜ブロックＢと傾斜ブロックＣの傾斜角度は、選択したピッチ円錐角ｘと同角度とする。【００１３】又、副円盤部面区分点の傾斜線ｊ、ｋに副傾斜台を固定した時、各ブロックが、どの様な位置、順序、方向で積み上げられているかを説明すると、まず、平面台ブロックＤの２辺を副円盤部面区分点の傾斜線ｊ、ｋに合わせる。次に、傾斜ブロックＥは、傾斜下端線を傾斜線ｊ位置とし、又、傾斜側辺下端を直角線ｋ位置として上昇傾斜して、平面台ブロックＤ上に重なる。次に、傾斜ブロックＦは、傾斜上端線を直角線ｋ位置とし、又、傾斜側辺下端を傾斜線ｊ位置として下降傾斜して、傾斜ブロックＥ上に重なる。尚、この傾斜ブロックＥと傾斜ブロックＦの傾斜面の長さは磁極面巾と同じとする。傾斜ブロックＥの傾斜角度は、選択したピッチ円錐角ｘの２分の１の角度とし、傾斜ブロックＦの傾斜角度は、選択したピッチ円錐角ｘと同角度とする。【００１４】主、副各円盤部の各傾斜台の台面上に、突出形磁石を固定する。突出形磁石本体の平面図に於ける磁極面巾と磁極面間方向の長さ寸法は、同一寸法で正方形となる。突出形磁石は、Ｎ極、Ｓ極各磁極面の互いの逆位置端に突出部が付く。突出部の巾は、磁極面巾の３分の１とし、突出長さは、突出形磁石の磁極面巾の２分の１とする。【００１５】本発明に於ては、主円盤部と副円盤部における主、副傾斜台上に、突出形磁石を固定した時、区分点位置の磁極面を前磁極面と称し、反対側の磁極面を後磁極面と称する。主円盤部と副円盤部における、突出形磁石は、前磁極面下端を傾斜線ｊ位置とし、又、磁極面間方向側面下端を直角線ｋ位置として、各々、傾斜台面上に固定する。又、主円盤部と副円盤部における突出形磁石の前磁極面の前突出部は、共に、区分点の反対側端に突きでる。従って、後磁極面の後突出部は、区分点側��に付く。【００１６】区分数が２区分の時、立面図における突出部を含む磁極面巾は、区分円周ｇ半径の約２分の１弱から３分の１程度までが適当とする。突出形磁石の最大高さは、２区分の時、区分円周ｇにおける、半径程度とし、２区分以上の整数における任意区分数の最大高さは、選択した各区分数に於ける２区分間弦巾の２分の１程度とする。区分数を２区分以上で選択した時、立面図における突出部を含む磁極面巾は、各区分円周ｇにおける各２区分間弦巾の５分の１程度である。又、突出形磁石の最大高さは、選択した各２区分間弦巾の２分の１程度とする。【００１７】主円盤部の各区分点の前磁極面の磁極は、各区分点共に、Ｎ、Ｓ磁極より同一磁極を配置しなければならない。又、副円盤部の前磁極面の磁極は、主円盤部の前磁極面の反対磁極とする。【００１８】主円盤部面と副円盤部面に、各々主傾斜台と副傾斜台を配置固定し、それ等の枠部、傾斜ブロックＣと傾斜ブロックＦの各々、上端に設ける。（但し図では省略している）そこに突出形磁石下部が枠部に入り接着剤で固定される。しかし、主傾斜台と副傾斜台の下部１部周囲にフランジ部を付け、タッピングネジと接着剤で固定する事ができる。又、各突出形磁石の上部に、連結部の枠部を嵌接着剤で固定する。尚、フランジ部は、突出形磁石を超電導電磁石で構成した時に、付けられる。主、副各円盤部の各主軸に、天盤ボス部の軸穴を通し、天盤を主軸にボス部のボルトで固定する。連結部上面は接着剤等で固定する。連結部上面周囲１部にフランジを付け、タッピングネジと接着剤で、各天盤の下部面に固定しても良い。連結部の形状は、主、副傾斜台と同じ順序で平面台ブロックと２つの傾斜ブロックが積み上がっているが、方向は各々真逆方向とした形状の一体成形構造である。連結部の枠部やフランジ部は、各平面台ブロックＡ、平面台ブロックＤにあたる下部周囲に設けている。以上が、主円盤回転車と副円盤回転車の構成とする。【００１９】各主、副円盤回転車は、装置容器のラジアル、スラスト各軸受により、各主軸を支持し、笠歯車を噛み合わせる。噛み合わせ位置は、笠歯車の取付け時に決める。これは、主円盤部区分円周ｇの一つの区分点を通る中心線ｅを噛み合わせ位置とし刻印を付け、この位置に、笠歯車の谷溝中心を合わせ、主円盤部に笠歯車をボルト等により固定する。【００２０】又、副円盤部は、磁極面巾ｔにｃｏｓｘを乗じた値に１．５倍した値の巾ｚをコンパスに取り、副円盤部における区分円周ｇの一つの区分点より、回転方向にコンパスで区分し、この区分点ｕを通る中心線ｅを噛み合わせ位置とし刻印を付け、この位置に、笠歯車の取付け時、笠歯車の歯山頂部中心を合わせ、副円盤部に笠歯車をボルト等により固定する。主、副円盤回転車を、装置容器の各軸受により、各主軸を支持する時、各笠歯車の印ある位置の歯谷と歯山を噛み合わせ、各主、副円盤回転車軸を、装置容器の各軸受に支持する。【００２１】装置容器外上部に、出力用笠歯車取付け枠台を設け出力用笠歯車を固定し、又、装置容器外上部にでた主円盤回転車の主軸端にピッチ円錐角４５度の出力用笠歯車固定し、出力用２つの出力用笠歯車をかみあわせる。又、車装置容器外上部に、発電機取付け台を設け、台上に発電��とクラッチを固定する。発電機軸はクラッチに接続し、出力用笠歯車軸とクラッチ軸は、軸継手により連結される。主円盤回転車の天盤上部にフライホイールを設ける。又、副円盤回転の装置容器外上部に、ディスクブレーキ装置取り付け枠台を設け、副円盤回転車の主軸にディスクを固定し、ディスクブレーキ装置を枠内に固定する。こうした構造を特徴とする請求項１の磁力回転発電装置。【００２２】主円盤部面と副円盤部面の、主傾斜台と副傾斜台に配置固定される永久磁石での突出形磁石構成でなく、超電導電磁石の構成とした主円盤回転車と副円盤回転車とし、各天盤上に超電導電磁石のヘリウムガスの再液化用の冷凍機を設ける。冷凍機の電力は、装置容器外から供給するために、各天盤の上部面より出た各主軸に円筒形電通接触面を通し軸に固定し、プラス及びマイナス用ブラシ保持器を装置容器側の軸受保持部分外に取り付けた構成とする。又、主円盤部面の主傾斜台には、超電導電磁石を配置した主円盤回転車とし、副円盤部面の副傾斜台に配置される突出形磁石はフェライト磁石等の永久磁石を配置した副円盤回転車構成とする。この場合、主円盤回転車軸は、垂直とした装置容器構成とすため、発電機は水平に設ける事ができる。但し、超電導電磁石の磁力は２テスラ程度とするが、フェライト磁石に悪い影響がなく、回転可能であれば、２テスラ以上としてかまわない。こうした構造を特徴とする請求項１記載の磁力回転発電装置。
【発明を実施するための最良の形態】
【００２３】以下、本発明の実施の形態を図面に基づき詳細に説明する。【００２４】図１〜図３は本発明本体の第１の実施の形態に係る図である。図１は図２の主円盤回転車部分の断面線Ｂ−Ｂ線方向と副円盤回転車部分の断面線Ｃ−Ｃ方向を合成した断面透視平面図であり、図２は、図１の断面線Ａ−Ａ線方向の断面立面図である。図３は、図２１の断面線Ｄ−Ｄ線方向の断面立面図である。笠歯車３のピッチ円錐角ｘは、１５度である。図１〜図３にあるように、主円盤回転車１と副円盤回転車２は、同一直径の主、副各円盤部１ａ、２ａと、その円盤部面中心部の下部をボス部とし、各円盤部面中心にあく軸穴に主軸７を通し、ボルト、キー等により固定する。又、リング状で円盤部直径より、少し、大きめので外周が同一直径、同一歯数とした、笠歯車３を各主、副円盤部１ａ、２ａ下部面の凸形フランジ１４にリング状笠歯車の内周面を嵌合わせ、各主、副円盤部１ａ、２ａ外周下部面にボルト等で固定する。主副各円盤部面１ａ、２ａ外周より少し内側に、同一直径の区分円周ｇを描き、２区分で等区分する。【００２５】主円盤部１ａにおける区分円周ｇの各区分点より、回転方向に、接線ｆを引き、接線ｆを基準として傾斜角αを７５度とした傾斜線ｊを各区分点より引く。又、この傾斜線ｊに対する直角線ｋを各区分点より引く。【００２６】本発明における回転可能な笠歯車３の最大ピッチ円錐角ｘは３０度であり、この時、傾斜角αは、９０度とする。しかし、ピッチ円錐角ｘを３０度よりθ度減じたｘとする時、傾斜角αは、９０度よりθ度減じた値の角度となる。【００２７】ピッチ円錐角ｘを１５度とした時、数式で説明すると、θとｘの関係式はθ＝３０−ｘであり、θ＝３０−１５＝１５で、θは１５度となる。次に、傾斜角αは、９０度よりθ度減じた角度とするので、その時の関係式はα＝９０−θ度となる。従って、α＝９０−θ＝９０−１５＝７５でαは７５度となる。従って、ｘを決めれば上記の２つの式により、求められる。【００２８】又、副円盤部における区分円周ｇの各区分点より、逆回転方向に、接線ｆを引き、基準として傾斜角βの傾斜線ｊを区分点より引く。傾斜角βは、ピッチ円錐角ｘがいかなる角度を選択しても４５度とする。それで、傾斜角β４５度の傾斜線ｊを区分点より引き、この傾斜線ｊに対する直角線ｋを区分点より引く。【００２９】図１にあるように、主傾斜台４と副傾斜台５は、主円盤部１ａ面と副円盤部２ａ面の各区分点に描いた傾斜線ｊ上と直角線ｋ上に、底面２辺位置として、各々、主、副各円盤部１ａ、２ａ面に固定される。図４〜７はピッチ円錐角ｘを３０度とした時、主、副各傾斜台４、５を各区分点位置に固定した時の斜視図と、各ブロックを分解した時の斜視図であるが、図１と図４〜７等の図により主傾斜台と副傾斜台を説明する。【００３０】まず、図４は区分円周ｇの区分点に主傾斜台４を固定した時の斜視図である。ｅは区分点を通る中心線であり、矢印は主円盤部の回転方向を示す。ｆは、区分点より、回転方向に引いた接線であり、接線ｆを基準線として傾斜角αで区分点よりｊ線を引き、次に、ｊ線を基準線として直角線ｋを描く。図４ではピッチ円錐角を３０度としているため傾斜角αは、９０度として描いている。（注）第１の実施の形態に係る図１〜３ではピッチ円錐角１５度であり、傾斜角αは７５度である。【００３１】下から平面台ブロック４−Ａ、傾斜ブロック４−Ｂ、傾斜ブロック４−Ｃと積み上がった一体成形の構成である。平面台ブロック４−Ａは、平面形がが正方形であり、１辺の長さは、磁極面巾にｃｏｓｘを乗じた値とする。高さは、突出形磁石６の磁極面巾ｔに、ｓｉｎｘ（ｘは選択したピッチ円錐角）を乗じた値を約、１．３倍した程度の高さとする。まず、平面台ブロックＡの２辺を主円盤部面区分点の傾斜線ｊ、ｋに合わせる。次に、傾斜ブロックＢは、傾斜下端線を傾斜線ｊ位置とし、又、傾斜側辺下端を直角線ｋ位置として上昇傾斜して、平面台ブロックＡ上に重なる。次に、傾斜ブロックＣは、傾斜下端線を直角線ｋ位置とし、又、傾斜側辺下端を傾斜線ｊ位置として上昇傾斜して、傾斜ブロックＢ上に重なる。【００３２】図５は、主傾斜台４の各ブロックを分解した斜視図である。尚、傾斜ブロックＢと傾斜ブロックＣの傾斜面の長さは磁極面巾と同じとする。傾斜ブロックＢと傾斜ブロックＣの傾斜角度は、選択したピッチ円錐角ｘと同角度のｘ１で３０度とする。（注）第１の実施の形態に係る図１〜３ではピッチ円錐角１５度であため共に、選択したピッチ円錐角ｘと同角度のｘ１で１５度とする。【００３３】図６は、区分円周ｇの区分点に、副傾斜台５を固定した時の斜視図であり、ｅは区分点を通る中心線であり、矢印は副円盤部２ａの回転方向を示す。ｆは、回転方向に引いた接線であり、接線ｆを基準線として、傾斜角βを４５度として区分点よりｊ線を引き、ｊ線を基準線として直角線ｋを区分点より描く。傾斜角βは、ピッチ円錐角ｘをいかなる角度に選択しても４５度である。平面台ブロック５−Ｄは、平面形が正方形であり、１辺の長さは、磁極面巾にｃｏｓｘを乗じた値とする。高さは、平面台ブロック４−Ａと同じで、突出形磁石の磁極面巾にｓｉｎｘ（ｘは選択したピッチ円錐角）を乗じた値を約１．３倍した程度の高さとする。尚、図では、主副各傾斜台４、５の主副各円盤部面１ａ、２ａへの固定は、接着剤としており、タッピングネジと接着剤でで固定する場合、フランジは、平面台ブロック４−Ａ、５−Ｄの下部１部周囲に設ける。【００３４】次に、図６にあるように、まず、平面台ブロック５−Ｄの２辺を副円盤部面区分点の傾斜線ｊ、ｋに合わせる。次に、傾斜ブロック５−Ｅは、傾斜下端線を傾斜線ｊ位置とし、又、傾斜側辺下端を直角線ｋ位置として上昇傾斜して、平面台ブロック５−Ｄ上に重なる。次に、傾斜ブロック５−Ｆは、傾斜上端線を直角線ｋ位置とし、又、傾斜側辺下端を傾斜線ｊ位置として下降傾斜して、傾斜ブロック５−Ｅ上に重なる。図７は副傾斜台５の各ブロックを分解した斜視図である。傾斜ブロック５−Ｅと傾斜ブロック５−Ｆの傾斜面長さは磁極面巾と同じとする。傾斜ブロック５−Ｅ、の傾斜角度は、選択したピッチ円錐角ｘの２分の１のｙで１５度とする。傾斜ブロック５−Ｆは、選択したピッチ円錐角ｘと同角度のｘ１で３０度とする。（注）第１の実施の形態に係る図１〜３ではピッチ円錐角１５度であるため、選択したピッチ円錐角ｘの２分の１のｙで７，５度とし、傾斜ブロック５−Ｆは、選択したピッチ円錐角ｘと同角度のｘ１で１５度とする。【００３５】図８は、主円盤部１ａの傾斜台４の台面上に、突出形磁石６を固定した時の斜視図。又、図９は副円盤部２ａの傾斜台５の台面上に、突出形磁石６を固定した時の斜視図である。【００３６】突出形磁石６は、図１１にあるように、本体の平面図に於ける磁極面巾ｔと磁極面間方向の長さｍ寸法は、同一寸法で正方形となる。突出形磁石６は、Ｎ極、Ｓ極各磁極面の互いの逆位置端に突出部６ａ、６ｂ、が付く。突出部６ａ、６ｂの巾ａは、突出形磁石６の磁極面巾ｔの３分の１とし、突出長さｂは、磁極面巾ｔの２分の１とする。本発明に於ては、図１、図８、図９のように主円盤部１ａと副円盤部２ａにおける主、副傾斜台４、５上に、突出形磁石６を固定した時、区分点位置の磁極面を前磁極面と称し、反対側の磁極面を後磁極面と称する。主円盤部１ａと副円盤部２ａにおける、突出形磁石６は、前磁極面下端を傾斜線ｊ位置とし、又、磁極面間方向側面下端を直角線ｋ位置として、各々、傾斜台４、５面上に固定する。又、主円盤部１ａと副円盤部２ａにおける突出形磁石６の前磁極面の前突出部６ａは、共に、区分点の反対側端に突きでる。従って、後磁極面の後突出部６ｂは、区分点側端に付く。【００３７】突出形磁石６の最大高さｈは、２区分の時、区分円周ｇにおける、半径程度とし、２区分以上の整数における、任意区分数の最大高さｈは、選択した各区分数に於ける２区分間における弦巾の２分の１程度とする。区分数を２区分以上の整数で選択した時、立面図における突出部を含む磁極面巾ｔは、各区分円周ｇにおける、各２区分間の弦巾の５分の１程度とする。又、突出形磁石の最大高さｈは、選択した各２区分間弦巾の２分の１程度とする。市販の汎用ネオジュウム磁石で突出形磁石６を作る時、高さｈを上げるため図１１にある様に、１段目の突出形磁石６上面に図１２の接続用鉄板１０を接着剤で接着し、その上に２段目の突出形磁石６を接着剤で接着し高さを上げることができる。接続用鉄板１０の厚さは２〜４ｍｍとする。汎用の永久磁石で作製実験する時、簡単に高さを上げられる。【００３８】主円盤部１ａの各区分点の前磁極面の磁極は、各区分点共に、Ｎ、Ｓ磁極の中より選択した同じ磁極を配置する。又、副円盤部２ａ各区分点の前磁極面の磁極は、主円盤部１ａの前磁極面磁極の反対磁極とする。【００３９】主円盤部１ａと副円盤部２ａの各々区分点に、各々主傾斜台４と副傾斜台５を配置固定し、それ等の枠部、に突出形磁石６を接着剤、ネジ等で固定される。（超電導電磁石構成の時フランジ固定とする）又、各突出形磁石６の上部端に、連結部９の枠部９ａ、を嵌接着剤、ネジ等で固定する。他方、主、副各円盤部１ａ、２ａの各主軸７に、各々天盤８の中心軸穴を通し、各々天盤８が付けられ、天盤８ボス部のボルトにより各主軸７に固定する。又、連結部９上面は、各天盤８の下部面に接着剤、フランジ等で固定する。図１０は、主円盤部１ａの各突出形磁石６の上部端に付く連結部９の斜視図であり、連結部９の形状は、主傾斜台４における傾斜ブロックＢ、傾斜ブロックＣの方向とか真逆方向とした以外ほぼ、同一形状の一体成形構造である。しかし、連結部９上面を多少修正が必要である。副円盤部２ａの連結部９の図せ省略したが、傾斜ブロックＥ、Ｆの方向か副傾斜台５と真逆方向となる。以上の構成により、主円盤回転車１と副円盤回転車２とする。【００４０】主、副各円盤回転車１、２は、装置容器１１のスラスト各軸受１２、ラジアル軸受１３、により、各主軸７を支持し、笠歯車３を噛み合わせる。噛み合わせ位置は、笠歯車３の取付け時に決める。これは、主円盤部１ａ区分円周ｇの一つの区分点を通る中心線ｅを噛み合わせ位置とし刻印を付け、この位置に、笠歯車３の谷溝中心を合わせ、主円盤部１ａに笠歯車３をボルト等により固定する。【００４１】又、副円盤部２ａは、磁極面巾ｔにｃｏｓｘを乗じた値に１．５倍した値の巾ｚをコンパスに取り、副円盤部における区分円周ｇの一つの区分点より、回転方向にコンパスで区分し、この区分点ｕを通る中心線ｅを噛み合わせ位置とし刻印を付け、この位置に、笠歯車の取付け時、笠歯車の歯山頂部中心を合わせ、副円盤部に笠歯車をボルト等により固定する。磁極面巾ｔを２ｃｍでピッチ円錐角ｘを１５度とした時、ｚ巾を計算式で求めると、ｚ＝（ｃｏｓｘ×ｔ）×１．５＝（ｃｏｓ１５×２）×１．５＝（０，９６５９３×２）×１，５＝１．９３１８６×１，５＝２．８９でｚ巾は約２．９ｃｍとなる。主、副各円盤回転車１、２を装置容器１１の各軸受１２、１３に、各主軸７を支持する時、各笠歯車３の印ある歯谷と歯山を噛み合わせ、各主、副円盤回転車１、２の軸７を、支持する。【００４２】装置容器１１外上部に、出力用笠歯車取付け枠台１６を設け、ピッチ円錐角４５度の出力用笠歯車１７を取り付ける。又、装置容器１１外上部に出た主円盤回転車１の主軸７端にも、ピッチ円錐角４５度の出力用笠歯車１７を取り付け、両出力用笠歯車１７を噛み合わせる。又、装置容器１１外上部に、発電機取付け台１９を設け、台上に発電機２０とクラッチ１８を固定する。発電機２０軸はクラッチ１９に接続し、出力用笠歯車１７軸とクラッチ１８の出力軸は、軸継手１５により連結される。主円盤回転車１の天盤８上部にフライホイール２１を設ける。又、装置容器１１外上部に出た副円盤回転車２の主軸７にディスクを固定し、ディスクブレーキ装置２５を取り付け枠台２６にを固定する。【００４３】装置を起動する時は、クラッチ１８を切った状態で、ディスクブレーキ２５のロックを切ると、主円盤回転車１と副円盤回転車２は、ゆっくりと謡動回転を始め、直ぐに、回転に移行する。回転数が上がった時点で、クラッチ１８を入れると発電を開始する。装置を停止する時は、クラッチ１８を切って、ディスクブレーキ２５をかければ停止し、長期間停止の時、ロック装置をかける。主、副傾斜台４、５や主円盤部１ａ、副円盤部２ａや笠歯車３、連結部９、天盤８等は、磁力に作用しない素材としなければならない。こうした構造を特徴とする請求項１記載の磁力回転発電装置。【００４４】図１３〜１４は、突出形磁石６を超電導電磁石構成とした、本発明本体の第２の実施の形態に係る図である。図１３は図１４の主円盤回転車部分の断面線Ｂ−Ｂ線方向と副円盤回転車部分の断面線Ｃ−Ｃ方向を合成した断面透視平面図であり、図１４は、図１３の断面線Ａ−Ａ線方向の断面立面図である。【００４５】笠歯車３のピッチ円錐角ｘは、３０度で���る。主円盤部１ａと副円盤部２ａの各、区分円周ｇ上を２区分数で等区分し、各区分点とする。主円盤部１ａの各区分点より回転方向に、接線ｆを引き、接線ｆを基準として、傾斜角αを９０度とする、傾斜線ｊを区分点より引く。又この傾斜線ｊに対する直角線ｋを区分点より引き、描く。又、副円盤部２ａの各区分点より、逆回転方向に、接線ｆを引き、接線ｆを基準として、傾斜角βを４５度で、傾斜線ｊを区分点より引く。又この傾斜線ｊに対する直角線ｋを区分点より引き、描く。【００４６】主円盤部１ａ面と副円盤部２ａ面の主傾斜台４と副傾斜台５に超電導電磁石構成で配置される突出形磁石６とする時、各天盤８上に、超電導電磁石のヘリウムガスの再液化用の冷凍機２２を設ける。冷凍機２２の電力は、装置容器１１外から供給するために、各天盤８の上部面より出た各主軸７に円筒形電通接触面２３を軸７に通し固定する。又、プラス及びマイナス用ブラシ保持器２４を装置容器１１側の軸受保持部分外に取り付ける。又、主円盤部１ａ面の主傾斜台４には、超電導電磁石構成の突出形磁石６を配置した主円盤回転車１とし、副円盤部２ａ面の副傾斜台５に配置される突出形磁石６は、ネオジゥム、又は、フェライト磁石構成の突出形磁石６を配置した副円盤回転車２構成とする。この場合、主円盤回転車１の軸７は、垂直とした装置容器１１構成とすれば、発電機２０は水平に設ける事ができる。こうした構造を特徴とする請求項２記載の磁力回転発電装置。【００４７】図１５〜図１９は、本発明の第１の実施の回転原理の説明図であり、図１と同じ位置による図である。ピッチ円錐角Ｘは１５度である。【００４８】図１５は、主円盤部１ａにおける突出形磁石６（Ａ）区分点を通る中心線ｅが、最接近点の共通中心線０−０より、中心角εで６０度手前にある位置の図である。この時、突出形磁石６（Ａ）の前磁極面Ｎ極と、副円盤部２ａにおける、突出形磁石６（Ｃ）前磁極面Ｓ極に吸引力が作用し、突出形磁石６（Ａ）に回転力Ｐ１と、突出形磁石６（Ｃ）に回転力Ｐ２が作用する。これらの作用は、回転力Ｐ１は、次の図１６位置まで持続する。回転力Ｐ２は、図１８の位置まで持続する。【００４９】図１６は、主円盤部１ａにおける突出形磁石６（Ａ）区分点を通る中心線ｅが、最接近点の共通中心線０−０より、中心角εで４５度手前にある位置の図である。突出形磁石６（Ａ）の前磁極面Ｎ極と、突出形磁石６（Ｃ）前磁極面Ｓ極の吸引力で生起した回転力Ｐ１は、突出形磁石６（Ａ）に逆回転力が生じ消滅する。しかし、突出形磁石６（Ａ）の後突出部６ｂＳ極と、突出形磁石６（Ｃ）後突出部６ｂＮ極の吸引力で突出形磁石６（Ａ）に回転力Ｐ３が生起する。突出形磁石６（Ｃ）の回転力Ｐ２は、突出形磁石６（Ａ）の前磁極面Ｎ極と突出形磁石６（Ｃ）後突出部６ｂのＮ極が反発し、突出形磁石６（Ｃ）にかかる逆回転力を消去し、回転力Ｐ２は持続し、図１８の位置まで持続する。従い、回転力Ｐ２、Ｐ３により、図１７の位置まで回転する。【００５０】図１７は、主円盤部１ａにおける突出形磁石６（Ａ）区分点を通る中心線ｅが、最接近点の共通中心線０−０より、中心角εで３０度手前にある位置の図である。突出形磁石６（Ｃ）の回転力Ｐ２は、突出形磁石６（Ａ）の前磁極面Ｎ極と前後突出部６ａのＮ極が突出形磁石６（Ｃ）後突出部６ｂのＮ極が反発し、突出形磁石６（Ｃ）にかかる逆回転力を消去し、回転力Ｐ２は持続し、図１８の位置まで持続する。突出形磁石６（Ａ）の後突出部６ｂＳ極と、突出形磁石６（Ｃ）後突出部６ｂのＮ極に吸引力が作用し回転力Ｐ３は、突出形磁石６（Ｃ）に逆回転力は生じないため持続する。従い、回転力Ｐ２、Ｐ３により図１８位置まで回転する。【００５１】図１８は、主円盤部１ａにおける突出形磁石６（Ａ）区分点を通る中心線ｅが、最接近点の共通中心線０−０より、中心角εで３０度通過した位置の図である。回転力Ｐ２、Ｐ３は、この位置で消滅する。又、この位置より、突出形磁石６（Ａ）の後突出部６ｂのＳ極と、突出形磁石６（Ｃ）の表磁極面Ｓ極との反発力で、突出形磁石６（Ｃ）に回転力Ｐ４と突出形磁石６（Ａ）に回転力Ｐ５が生じる。回転力Ｐ４、Ｐ５により図１９位置まで回転する。【００５２】図１９は、主円盤部１ａにおける突出形磁石６（Ａ）区分点を通る中心線ｅが、最接近点の共通中心線０−０より、中心角εで６０度通過した位置の図である。又、回転力Ｐ４、Ｐ５は、この位置でも持続する。又、この位置では、突出形磁石６（Ａ）の後磁極面Ｓ極、と突出形磁石６（Ｃ）の前突出部６ｂＳ極との反発力で、突出形磁石６（Ａ）に回転力Ｐ６と、突出形磁石６（Ｃ）に回転力Ｐ７が生ずる。回転力Ｐ４、Ｐ５、Ｐ６、Ｐ７は、突出形磁石６（Ａ）は後磁極面が反発するため、区分点を通る中心線ｅが、最接近点の共通０−０線より、中心角で１０５度通過した位置まで作用する。この回転力により、次の区分点の突出形磁石６（Ｂ）は、図１５の始めの回転ポテンシャル位置まで中心角で１５度となり、後は、フライホイール２２の回転力で突出形磁石６（Ｂ）と突出形磁石６（Ｄ）は、図１５位置の回転ポテンシャル位置となり、同じ回転力を生起してサイクルを持続する。フライホイールの重量負荷では、簡単に停止位置より自力回転をはじめる。従って、重いフライホィールを付けて停止位置より、起動した場合、数回遥動回転して回転に移行する。この回転原理は、手作りの実験装置により、事実を述べており、確信している。尚、この回転原理は、１５度以外のピッチ円錐角ｘでも全て、同じである。
【産業上の利用可能性】
【００５３】超電導電磁石による大電力発電が可能となり、長距離送電設備も必要なく都市部に、少スペース、安全で、自然に優しい発電設備を設ける事ができる。又、超電導電磁石の強力発電が可能で、軽量化できれば、蓄電器と組み合わせ、２系統或いは、３系統で交互に切り替える事により、電動機によるプロペラ回転による大型航空機も可能となる。又、電気自動車、ロボット等の電源とすることができる。
【図面の簡単な説明】
【００５４】
【図１】図１は発明本体で、第２実施の形態に係る図であり、図２のＢ−Ｂ線方向の主円盤回転車１部分断面と、Ｃ−Ｃ線方向の副円盤回転車２部分の断面であり、各々、突出形磁石６下端面部分を透視し、合成した断面透視平面図。（但し、磁石底面は、傾斜台上に位置する為、位置が変化するが、多少である為省略し、平面にあるとして描いている）
【図２】図２は、発明本体図１のＡ−Ａ線方向の断面立面図。
【図３】図３は、発明本体図２のＤ−Ｄ線方向の断面側面図である。
【図４】図４は、区分点位置における主傾斜台４の斜視図
【図５】図５は、主傾斜台４を各ブロックに分解した時の斜視図。
【図６】図６は、区分点位置における副傾斜台５の斜視図
【図７】図７は、副傾斜台５を各ブロックに分解した時の斜視図。
【図８】図８は、主円盤部部１ａの区分点位置の主傾斜台４に、突出形磁石６を固定した斜視図
【図９】図９は、副主円盤部２ａの区分点位置の副傾斜台５に、突出形磁石６を固定した斜視図
【図１０】図１０は、主円盤部１ａの各突出形磁石６の上部端に付く連結部９の斜視図
【図１１】図１１は、突出形磁石６の斜視図。
【図１２】図１２は、接続用鉄板１０の斜視図。
【図１３】図１３は、笠歯車３のピッチ円錐角ｘを３０度とし、突出形磁石６を超電導電磁石とした、本発明本体で、第２実施の形態に係る図であり、図１３は図１４の主円盤回転車部分の断面線Ｂ−Ｂ方向と副円盤回転車部分の断面線Ｃ−Ｃ方向を合成した断面透視平面図である。
【図１４】図１４は、図１３の断面線Ａ−Ａ線方向の断面立面図である。
【図１５】図１５は、本発明の第１の実施形態の回転原理の説明図であり、図１と同じ位置による平面図であり、主突出形磁石６（Ａ）の区分点を通る中心線ｅが、最接近点側の共通中心線０−０より、中心角で６０度手前に位置する図である。
【図１６】図１６は、図１５より回転し、主突出形磁石６（Ａ）の区分点を通る中心線ｅが、最接近点側の共通中心線０−０より、中心角で４５度手前に位置した図である。
【図１７】図１７は、図１６より回転し、主突出形磁石６（Ａ）の区分点を通る中心線ｅが、最接近点側の共通中心線０−０より、中心角で３０度手前に位置した図である。
【図１８】図１８は、図１７より回転し、主突出形磁石６（Ａ）の区分点を通る中心線ｅが、最接近点側の共通中心線０−０より、中心角で３０度通過位置の図である。
【図１９】図１９は、図１８より回転し、主突出形磁石６（Ａ）の区分点を通る中心線ｅが、最接近点側の共通中心線０−０より、中心角で６０度通過位置の図である。
【符号の説明】
【００５５】１            主円盤回転車
１ａ          主円盤部
２            副円盤回転車
２ａ          副円盤部
３            笠歯車
４            主傾斜台
４−Ａ        平面台ブロック
４−Ｂ        傾斜ブロック
４−Ｃ        傾斜ブロック
５            副傾斜台
５−Ｄ        平面台ブロック
５−Ｅ        傾斜ブロック
５−Ｆ        傾斜ブロック
６            突出形磁石
６ａ          前突出部
６ｂ          後突出部
７            主軸
８            天盤
９            連結部
９ａ          枠部
１０          接続用鉄板
１１          装置容器
１２          スラスト軸受
１３          ラジアル軸受
１４          主、副各円盤部の凸形フランジ部
１５          軸継手
１６          出力用笠歯車取り付け枠台
１７          出力用笠歯車
１８          クラッチ
１９          発電機取り付け台
２０          発電機
２１          フライホィール
２２          冷凍機
２３          円筒形電通接触面
２４          ブラシ保持器
２５          ディスクブレーキ
２６          ディスクブレーキ取り付け枠台
【図１】
2016019460.tif 000003
【図２】
2016019460.tif 000004
【図３】
2016019460.tif 000005
【図４】
2016019460.tif 000006
【図５】
2016019460.tif 000007
【図６】
2016019460.tif 000008
【図７】
2016019460.tif 000009
【図８】
2016019460.tif 000010
【図９】
2016019460.tif 000011
【図１０】
2016019460.tif 000012
【図１１】
2016019460.tif 000013
【図１２】
2016019460.tif 000014
【図１３】
2016019460.tif 000015
【図１４】
2016019460.tif 000016
【図１５】
2016019460.tif 000017
【図１６】
2016019460.tif 000018
【図１７】
2016019460.tif 000019
【図１８】
2016019460.tif 000020
【図１９】
2016019460.tif 000021
【手続補正書】
【提出日】平成26年11月10日(2014.11.10)
【手続補正１】
【補正対象書類名】明細書
【補正対象項目名】００４２
【補正方法】変更
【補正の内容】
【００４２】装置容器１１外上部に、出力用笠歯車取付け枠台１６を設け、ピッチ円錐角４５度の出力用笠歯車１７を取り付ける。又、装置容器１１外上部に出た主円盤回転車１の主軸７端にも、ピッチ円錐角４５度の出力用笠歯車１７を取り付け、両出力用笠歯車１７を噛み合わせる。又、装置容器１１外上部に、発電機取付け台１９を設け、台上に発電機２０とクラッチ１８を固定する。発電機２０軸はクラッチ１８に接続し、出力用笠歯車１７軸とクラッチ１８の出力軸は、軸継手１５により連結される。主円盤回転車１の天盤８上部にフライホイール２１を設ける。又、装置容器１１外上部に出た副円盤回転車２の主軸７にディスクを固定し、ディスクブレーキ装置２５を取り付け枠台２６にを固定する。
【手続補正２】
【補正対象書類名】図面
【補正対象項目名】図２
【補正方法】変更
【補正の内容】
【図２】
2016019460.tif 000022